(57)【要約】【課題】釘先の成形時に釘の釘先と軸部の接合部周囲に発生したバリを、釘先と軸部の接合部周面に巻き付け、軸部外径よりも外方に突出する部分をなくすことで、防水材を貫通する部分での確実な防水状態を確保することができる釘を提供する。【解決手段】軸部７の一端に頭部８と他端に四角錐の釘先９を設けた釘６であって、前記釘先９の成形時にこの釘先９と軸部７の接合部周囲に生じたバリ１２を、釘先９と軸部７の接合部の周面に重なるように、軸部７の周方向へ圧締することで巻着させて輪環部１３とする。【選択図】図１
2008075710.tif 000002
【特許請求の範囲】
【請求項１】
軸部の一端に頭部と他端に錐形の釘先を設けた釘において、前記釘先の成形時にこの釘先と軸部の接合部周囲に生じたバリを、釘先と軸部の接合部の周面に重なるように巻着させたことを特徴とする釘。
【請求項２】
上記釘先が角錐形に形成され、この釘先の稜線上の位置に生じたバリを、釘先と軸部の接合部の周面に重なるように、軸部周方向へ圧締することで巻着させた輪環部とし、この輪環部の最大外径を軸部の外径以内に収めたことを特徴とする請求項１に記載の釘。
【発明の詳細な説明】
【技術分野】
【０００１】
この発明は、屋根瓦の固定等、防水性の必要な部分の部材締結に用いて好適なる釘に関する。
【背景技術】
【０００２】
釘を用いた防水性の必要な部分の部材締結の例として、図２は建築物における屋根瓦の固定を示しており、野地板１の上面にシート状の防水材２によるルーフィングを施し、その上面に設置した桟木３の上に屋根瓦４を載せ、屋根瓦４の下孔５から桟木３及び野地板１に長尺の釘６を打ち込むことによって固定するようになっている。
【０００３】
上記した釘６は、長い軸部７の一端に頭部８と他端に先鋭状の釘先９を設け、用途に応じて軸部７の途中に多段の周突条１０とスクリュウ部１１の一方又は両方を形成した構造になっている（特許文献１又は２参照）。
【０００４】
通常このような釘６は、製釘機を用い、先ず線材に釘先９の部分を加工することで線材を切断して所定長さの軸部７とし、この軸部７の一端に頭部８を圧造することによって製作され、前記釘先９は一対の金型を用いて線材の切断と同時に四角推形に圧造されることになる。
【０００５】
図３（ａ）乃至（ｃ）のように、上記釘先９の圧造工程において、先端１５と四面の側面１４からなる四角推形の釘先９を一対の金型で形成すると、金型の合わせ面に対応する四角推形の稜線９ａ上で釘先９と軸部７の接合部周囲に、軸部７の外径よりも外側に突出する薄皮状のようなバリ１２が発生する。
【０００６】
このような釘６を図２で示した屋根瓦４の固定にそのまま使用すると、釘先９が防水材２を貫通するとき、四角推形の稜線９ａによって十字の切れ目による切り孔を防水材に開けることになるが、前記バリ１２が軸部７の外径よりも外側に突出しているので、バリ１２の通過によって切れ目の両端が延長状に切り裂かれることになる。
【０００７】
上記のような釘６による屋根瓦４の固定において、防水材２における釘６の軸部７が貫通する部分は、防水材２の持つ復元弾性によって切り孔の周囲が軸部の外周に密着し、前記貫通部分の防水性を維持することになるが、上記のように、バリ１２の通過によって切れ目の両端が延長状に切り裂かれていると、この切り裂かれた部分が防水性のない部分となって軸部７の外側に位置することになり、防水材２上に雨水が流れ込んだ場合、雨水は切り裂かれた部分を通過することで野地板１に浸入し、野地板１が腐食することで雨漏りの発生原因になる。
【特許文献１】実開平５−２７３２０号公報
【特許文献２】実開平６−４５１０４号公報
【発明の開示】
【発明が解決しようとする課題】
【０００８】
従来、上記のような釘６のバリ１２による弊害を少なくするため、バレル研磨方法によってバリ１２を除去するようにしているが、この方法ではバリ１２を完全に除去することができず、このため、釘６は多少なりともバリが残った状態で製品となっており、このような釘６はその使用によって防水材２に上記した切り裂かれた部分を発生させることになり、防水材２の防水性を低下させることで、野地板１の腐食に起因する雨漏りが発生するという問題がある。
【０００９】
そこで、この発明の課題は、釘の釘先と軸部の接合部周囲に発生したバリを、釘先と軸部の接合部周面に巻き付くように、軸部周方向へ圧締することで、軸部外径よりも外方に突出する部分をなくし、防水材を貫通する部分での確実な防水状態を確保することができる釘を提供することにある。
【課題を解決するための手段】
【００１０】
上記のような課題を解決するため、この発明は、軸部の一端に頭部と他端に錐形の釘先を設けた釘において、前記釘先の成形時にこの釘先と軸部の接合部周囲に生じたバリを、釘先と軸部の接合部の周面に重なるように巻着させた構成を採用したものである。
【００１１】
上記釘先が角錐形に形成され、この釘先の稜線上の位置に生じたバリを、釘先と軸部の接合部の周面に重なるように、軸部周方向へ圧締することで巻着させた輪環部とし、この輪環部の最大外径を軸部の外径以内に収めた構造とすることができる。
【００１２】
ここで、上記釘は、長い軸部の途中で釘先側に周突条と頭部側にスクリュウ部が形成され、バリを釘先と軸部の接合部の周面に重なるように軸部周方向へ圧締することで巻着させた部分の最大外径は、軸部の外径以内に納まる条件になっている。
【００１３】
部材の締結のためにこの釘を打ち込んで防水材を釘先が貫通するとき、四角推形の稜線によって十字の切れ目による切り孔を防水材に開けることになるが、釘先と軸部の接合部の周面は、軸部の外径内に納まっているので、釘先の通過により発生する切れ目は軸部外径以上に大きくなることがなく、防水材は切り孔の周囲が軸部に密着することになる。
【発明の効果】
【００１４】
この発明によると、釘先の成形時にこの釘先と軸部の接合部周囲に生じたバリを、釘先と軸部の接合部の周面に重なるように巻着させたので、釘先の先端と軸部との間の接合部に軸部の外径よりも外方に突出する部分をなくすことができ、部材の締結のために打ち込んで釘先が防水材を貫通するとき、釘先の通過により発生する切り孔は軸部外径以上に大きくなることがなく、このため、防水材は切り孔の周囲が軸部に密着することで、防水材の軸部貫通部分に防水性を確保することができる。
【発明を実施するための最良の形態】
【００１５】
以下、この発明の実施の形態を添付図面に基づいて説明する。なお、釘の構造において、従来技術で述べた部分と同一部分には同一符号を付して説明する。
【００１６】
図２で示したように、この発明の釘６は、長い軸部７の一端に頭部８と他端に先鋭状の釘先９を有し、軸部７の途中で釘先９側に周突条１０と頭部８側にスクリュウ部１１が形成されている。
【００１７】
上記釘先９は、一対の金型を用いた鍛造によって四角錐形に形成されているが、この釘先９の加工時に、図３（ａ）乃至（ｃ）で示したように、釘先９の稜線上の位置で釘先９の先端１５と軸部７の接合部の周囲にバリ１２が突出するように生じることになる。
【００１８】
図１（ａ）乃至（ｃ）のように、上記のバリ１２は、釘先９と軸部７の接合部の周面に重なるように、軸部７の周方向へ圧締することで巻着させ、この巻着部分の最大外径を軸部７の外径以内に納まるように仕上げる。
【００１９】
なお、巻着の手段としては、軸部７に周突条１０やスクリュウ部１１を施すことができるローリングマシンを用いてもよいし、ピンチポインターと呼ばれるプレスマシンを用いて巻着させることもできる。
【００２０】
このとき、周突条１０やスクリュウ部１１を施すと同時に巻着させることが望ましいが、巻着の度合いにおいては、その前やその後に別の工程として、更に圧着を高めるようにする方法を採ってもよい。
【００２１】
上記バリ１２は、釘先９と軸部７の接合部の周面に重なるように、軸部周方向へ圧締することで巻着させれば、この巻着部分が釘先９と軸部７の接合部の周面で外周面が略弧状で少し浮き出した輪環部１３となり、輪環部１３は、釘先９の先鋭端側に臨む下縁が、釘先９の稜線９ａの上端部で両側の側面１４に弧を描いて広がりながら稜線９ａ間の位置に向かう弧状の波形を呈し、軸部７側に位置する上縁も同様の波形を呈した形状となる。
【００２２】
このように、釘先９と軸部７の接合部の周囲に生じたバリ１２を、加圧して巻付けるように押し潰すことにより、輪環部１３を釘先９と軸部７の接合部の最大外径を軸部７の外径以内に納まるように仕上げることができ、しかも、輪環部１３の外径を円軸状に近づけることで、釘６の打ち込み時に防水材２を貫通するとき、四角推形の稜線９ａによって形成される十字の切れ目による切り孔を大きく開けることがなく、しかも、上記下縁の弧状形状が、防水材２における切り孔の切れ目部分の間を無理なく押し曲げることで、切り孔が拡大するのを防ぐことができる。
【００２３】
上記した輪環部１３による巻き付き面は、釘６の打ち込み時において、結果的に、側面１４、輪環部１３の巻き付け外径面、軸部７の外径曲面の順に３段階的に防水材２を押し広げていくことになり、従来の釘の側面、軸部の外径曲面という風に２段階で防水材２を押し広げる場合に比べて、３段階で押し広げたほうが防水材２は不必要に破れないという利点がある。
【００２４】
即ち、輪環部１３は、釘先９の稜線９ａをも保護しているので、防水材２に対する打ち込み時には、防水材２に釘先９の先端１５で簡単に十字孔を押し開け、稜線９ａの先端１５付近部分が十字孔を押し切って少し広げ、その後輪環部１３による巻き付き面が進入すると、十字孔はそれ以上広がらなくなり、軸部７の外径曲面と防水材２がより密着することになる。
【００２５】
この発明の釘６は、上記のような構成であり、図２に例示したように、屋根瓦４を桟木３に固定するために使用するものであり、屋根瓦４の下孔５に挿入して打ち込めば、軸部７は桟木３と防水材２及び野地板１を貫通し、頭部８で屋根瓦４を押さえ込むことで固定する。
【００２６】
上記釘６の打ち込み時において、防水材２を釘先９が貫通するとき、釘先９は四角推形の稜線９ａによって防水材２に十字の切れ目による切り孔を開けることになるが、釘先９と軸部７の接合部の周面は、軸部７の外径以内に納まる輪環部１３になっているので、釘先９の通過により発生する切れ目は軸部７の外径よりも大きくなることがなく、防水材２は切り孔の周囲が続いて貫通して行く軸部７の外周面に密着することで、防水材２の軸部７が貫通する部分に防水性を確保することができ、野地板１の腐食に起因する雨漏りの発生を防止できる。
【００２７】
なお、釘６は、屋根瓦の固定だけでなく、防水材を用いる壁材等の固定にも使用でき、また、釘先９は、四角推だけでなく円錐等の場合であってもよい。
【図面の簡単な説明】
【００２８】
【図１】（ａ）はこの発明に係る釘の釘先部分を拡大した正面図、（ｂ）は同側面図、（ｃ）は同底面図
【図２】釘の屋根瓦固定に使用した例を示す縦断正面図
【図３】（ａ）は従来の釘の釘先部分を拡大した正面図、（ｂ）は同側面図、（ｃ）は同底面図
【符号の説明】
【００２９】
１        野地板
２        防水材
３        桟木
４        屋根瓦
５        下孔
６        釘
７        軸部
８        頭部
９        釘先
１０      周突条
１１      スクリュウ部
１２      バリ
１３      輪環部
１４      側面
１５      先端
【図１】
2008075710.tif 000003
【図２】
2008075710.tif 000004
【図３】
2008075710.tif 000005